(57)【要約】【課題】マスクを長時間装着しても耳が痛くならず、マスクの脱着を簡便かつ衛生的に行えるマスクホルダーを提供しようとするものである。【解決手段】人の鼻や口の呼吸部位を覆う通気性を有する被覆本体１と、被覆本体１の相対する側部に設けたゴム紐２等により使用者の耳に掛けることが可能な紐とからなるマスクにおいて、被覆本体１とゴム紐２を係止可能なフレーム１０を備え、フレーム１０の弾性力により、フレーム１０がマスク使用者の顔面を挟むことで、顔面に装着可能としたものである。【選択図】図６
2017145545.tif 000002
【特許請求の範囲】
【請求項１】
ゴム紐２を耳に掛けることなくマスクの被覆本体１を顔面に装着可能にするマスク用のホルダーであって、
後方が開口する略Ｕ字形状のフレーム１０から成り、
該フレーム１０は外圧に対して変形し易い可とう性と該変形から復元する弾性特性を有する素材を用いて全体が構成され、
該全体の構成中には閉塞側の前方保持部１３と開口側の側面保持部１２を備える形状に湾曲して形成され、
前記前方保持部１３は顔の前面に接触して前記フレーム１０の前方側を保持し、
前記側面保持部１２は左右の耳の下部近傍に接触して前記フレーム１０の弾性特性により顔を挟持し、
該フレーム１０の耳側の端部近傍には前記ゴム紐２を係止する係止部１１が設けられ、
該係止部１１は前記マスクの被覆本体１から前記ゴム紐２を前記フレーム１０に沿って耳の下方へ案内し、
前記ゴム紐２は前記係止部１１を介して前記被覆本体１を前記フレーム１０に引き付け、
使用者の耳に前記ゴム紐２の張力を働かせることなく前記マスクを顔面に装着可能にしたことを特徴とするマスクホルダー１００。
【請求項２】
前記前方保持部１３ａの顔と接触する位置が上唇口と鼻孔との間であることを特徴とする請求項１に記載のマスクホルダー１００。
【請求項３】
前記前方保持部１３ｂの顔と接触する位置が鼻の頂部近傍であって、
耳の後方から押し当てる後方保持部１４を備えたことを特徴とする請求項１に記載のマスクホルダー１００。
【請求項４】
前記フレーム１０に接合部材１５を有し、
該接合部材１５によって前部フレーム１０ａと後部フレーム１０ｂとを折り曲げ可能としたことを特徴とする請求項１から請求項３の何れかに記載のマスクホルダー１００。
【請求項５】
前記フレーム１０と顔面に生じる隙間を塞ぐための形状と弾性特性を有する隙間吸収部材２０を備えたことを特徴とする請求項１から請求項４の何れかに記載のマスクホルダー１００。
【請求項６】
前記フレーム１０の耳側端部に脱着可能な耳当て部材２３が設けられ、
該耳当て部材２３は弾性力によって耳の後方から前方に向かって押圧することを特徴とする請求項１から請求項５の何れかに記載のマスクホルダー１００。
【請求項７】
前記耳当て部材２３及び前記隙間吸収部材２０の何れか又は双方がシリコンゴムを素材とし、
顔と接触する部分に用いられる隙間を埋める部材には薄膜状のシリコンを用いることを特徴とする請求項５又は請求項６に記載のマスクホルダー１００。
【請求項８】
マスク使用者の顔の輪郭を型取りし、
前記フレーム１０を該型取りした型に即した形状に形成させたことを特徴とする請求項１から請求項７の何れかに記載のマスクホルダー１００。
【発明の詳細な説明】
【技術分野】
【０００１】
本発明は、人の鼻や呼吸部位を覆う通気性を有する被覆本体と、前記被覆本体の相対する側部に設けたゴム紐等の弾性部材により使用者の耳に掛けることが可能な紐とからなるマスクを保持・固定するマスクホルダーに関するものである。
【背景技術】
【０００２】
従来、防塵・防臭・病気感染予防・花粉症対策等の目的で広くマスクが用いられている。そして、この種のマスクのうち多くが、両側にゴム紐などの弾性のある紐を耳に掛けて装着するタイプのものである。
【０００３】
この形態のマスクは、脱着が容易であり、取り付け状態も安定しているので広く普及しているが、長時間装着していると耳に痛みが生ずることが問題となっており、様々な対策が施されてきた。
【０００４】
例えば、特許文献１（特開２０１３−２５２３３９号）に示すような、マスクのゴム紐を首の後部で係止する部材を用いた技術がある。しかしながら、この技術では、使用者が水を飲む場合など、一時的にマスクを取り外す際には、前記係止部材を取り外すか、マスクの被覆本体を直接掴んで下方へずらすかになる。
【０００５】
前記係止部材を取り外し、再度マスクをするときに前記係止部材を取り付けるのは煩雑であり、また、マスクの被覆本体を直接掴むのは、マスクの被覆本体に付着した細菌等に手が触れるため不衛生である。
【０００６】
別の技術として、特許文献２（実登３１３６５７０号）に示すような、眼鏡フレームにマスクのゴム紐を取り付ける部材を用いたものがある。ただ、この技術は眼鏡を装着している人に限定され、また、マスクの取り付け、取り外しの際には上記特許文献１と同様の課題が生じる。
【先行技術文献】
【特許文献】
【０００７】
【特許文献１】特開２０１３−２５２３３９号公報
【特許文献２】実登３１３６５７０号公報
【発明の概要】
【発明が解決しようとする課題】
【０００８】
本発明は、前述のゴム紐等を耳に掛けて装着するタイプのマスクを長時間装着しても耳が痛くならず、マスクの脱着を簡便かつ衛生的に行えるマスクホルダーを提供しようとするものである。
【課題を解決するための手段】
【０００９】
本発明は、ゴム紐を耳に掛けることなくマスクの被覆本体を顔面に装着可能にするマスク用のホルダーであって、後方が開口する略Ｕ字形状のフレームから成り、該フレームは外圧に対して変形し易い可とう性と該変形から復元する弾性特性を有する素材を用いて全体が構成され、該全体の構成中には閉塞側の前方保持部と開口側の側面保持部を備える形状に湾曲して形成され、前記前方保持部は顔の前面に接触して前記フレームの前方側を保持し、前記側面保持部は左右の耳の下部近傍に接触して前記フレームの弾性特性により顔を挟持し、該フレームの耳側の端部近傍には前記ゴム紐を係止する係止部が設けられ、該係止部は前記マスクの被覆本体から前記ゴム紐を前記フレームに沿って耳の下方へ案内し、前記ゴム紐は前記係止部を介して前記被覆本体を前記フレームに引き付け、使用者の耳に前記ゴム紐の張力を働かせることなく前記マスクを顔面に装着可能とする構成を採用する。
【００１０】
また、本発明は、前記前方保持部の顔と接触する位置が上唇口と鼻孔との間である構成を採用することもできる。
【００１１】
また、本発明は、前記前方保持部の顔と接触する位置が鼻の頂部近傍であって、耳の後方から押し当てる後方保持部を備えた構成を採用することもできる。
【００１２】
また、本発明は、前記フレームに接合部材を有し、該接合部材によって前部フレームと後部フレームとを折り曲げ可能とした構成を採用することもできる。
【００１３】
また、本発明は、前記フレームと顔面に生じる隙間を塞ぐための形状と弾性特性を有する隙間吸収部材を備えた構成を採用することもできる。
【００１４】
また、本発明は、前記フレームの耳側端部に脱着可能な耳当て部材が設けられ、該耳当て部材は弾性力によって耳の後方から前方に向かって押圧する構成を採用することもできる。
【００１５】
また、本発明は、前記耳当て部材及び前記隙間吸収部材の何れか又は双方がシリコンゴムを素材とし、顔と接触する部分に用いられる隙間を埋める部材には薄膜状のシリコンを用いる構成を採用することもできる。
【００１６】
また、本発明は、マスク使用者の顔の輪郭を型取りし、前記フレームを該型取りした型に即した形状に形成させた構成を採用することもできる。
【発明の効果】
【００１７】
本発明に係るマスクホルダーによれば、ゴム紐を前記フレームに係止するため、マスクの支えを耳ですることがないので、耳に負担がかかることがなく、マスクを長時間装着していても使用者は耳が痛くならない。
【００１８】
また、本発明に係るマスクホルダーによれば、前記フレームを介して使用者はマスクを装着しているので、一時的にマスク脱着の必要が生じた際に、フレームをもって脱着動作が可能であるため、使用者がマスクを直接触れる必要がなく衛生的である。
【００１９】
また、本発明に係るマスクホルダーによれば、前記フレームは顔面を挟む構造となっているため、前記フレームを前後方向、もしくは上下方向へ移動させるだけで使用者がマスクの脱着が可能なので簡便である。
【００２０】
また、本発明に係るマスクホルダーによれば、前記フレームをマスク使用者の耳の近傍の後部から下部にかけて、及び、鼻の頂点部から上部に接触させることによって、使用者が本発明に係るマスクホルダーを装着中に首を上下左右に動かしても、前記フレームの使用者の顔面に対する相対移動が少なくなり、マスクが位置ずれしにくくなり、使用者が眼鏡を装着していても前記フレームが邪魔にならない。
【００２１】
また、本発明に係るマスクホルダーによれば、前記フレームが複数部材に分割され、接合部材により分割された複数部材が相対移動可能なまま一体とすることで、前記フレームの折り畳みが可能となり、マスクの装着が不要な際の持ち運びが容易になる。
【００２２】
また、本発明に係るマスクホルダーによれば、マスク使用者がマスクを顔面に装着した際に生じる、被覆本体と顔面の隙間を塞ぐことが可能な、前記フレームより柔らかい素材で作られた部材を取り付けることを可能とすることで、使用者が眼鏡を装着している場合でも、眼鏡のレンズが曇ることが少なくなる。
【図面の簡単な説明】
【００２３】
【図１】実施形態１に係るマスクホルダーの斜視図である。
【図２】実施形態１に係るマスクホルダーにマスクを取り付けた状態の図である。
【図３】実施形態１に係るマスクホルダーにマスクを取り付け、顔面に装着した状態の図である。（被覆本体１は透視）
【図４】図３の状態から実施形態１に係るマスクホルダーを下方にずらした状態の図である。
【図５】実施形態２に係るマスクホルダーの斜視図である。
【図６】実施形態２に係るマスクホルダーにマスクを取り付け、顔面に装着した状態の図である。（被覆本体１は透視）
【図７】図６の状態に眼鏡及びイヤホンを装着した状態の図である。
【図８】実施形態２に係るマスクホルダーの係止部形状例の拡大図である。
【図９】実施形態２に係るマスクホルダーの係止部形状例の拡大図である。
【図１０】実施形態３に係るマスクホルダーを折り畳んだ状態の図である。
【図１１】実施形態４に係るマスクホルダーにマスクを取り付け、顔面に装着した状態を上方から見た図である。
【図１２】実施形態４に係るマスクホルダーの隙間吸収部材取り付け部の断面図である。（図１１の断面Ａ−Ａ）
【図１３】実施形態５に係るマスクホルダーの実施例説明図である。
【発明を実施するための形態】
【００２４】
本発明に係るマスクホルダー１００は、使用者の耳にマスクのゴム紐２の張力を働かせることなくマスクを顔面に装着可能とすることを最大の特徴とする。なお、本実施形態に示されるマスクホルダー１００の全体形状及び各部の形状は、下記に述べる実施形態に限定さるものではなく、本発明の技術的思想の範囲内、即ち、同一の作用効果を奏する形状及び寸法の範囲内で変更することができるものである。
（実施形態１）
【００２５】
本発明に係るマスクホルダー１００の実施形態１について、図面を参照して説明する。
【００２６】
図１に示されるように、本発明に係るマスクホルダー１００のフレーム１０は、ワイヤー状の部材を上方から見てＵ字状に形成したものであり、その両端部近傍にマスクのゴム紐２を引っかけるための係止部１１が設けられている。このように形成されたフレーム１０の左右両側の側面保持部１２の距離は、使用者の顔面の幅より狭く形成されている。
【００２７】
図２は本発明に係るマスクホルダー１００にマスクを取り付けた状態の図である。マスクの被覆本体１をフレーム１０の前方保持部１３ａに接触させた状態で、左右両側のゴム紐２を係止部１１に引っかけることにより、マスクはフレーム１０に取り付けられる。
【００２８】
図３はマスクを取り付けた本発明に係るマスクホルダー１００を使用者の顔面に装着した図である。本発明に係るマスクホルダー１００を顔面に装着する際に、左右両側の側面保持部１２の距離を広げることによりフレーム１０に弾性力が発生し、その弾性力によってフレーム１０が顔面に固定される。
【００２９】
上記のようなマスクホルダー１００の構造及び使用方法により、マスク使用者はゴム紐２を耳に掛ける必要がなくなるため、マスクを長時間使用しても耳に痛みを感じることはなくなる。また、図４に示されるように、水を飲むときや電話で話をするときなど、一時的にマスクを取り外したいときには、フレーム１０を指で掴んで下方へずらせば良く、フレーム１０の弾性力によりマスクは顔面に取り付けられたままの状態になるので、マスクの脱着が簡便であり、かつ、マスクの被覆本体１を手で直接触れることがないため衛生的である。
【００３０】
フレーム１０は、外圧に対して変形し易い可とう性と該変形から復元する弾性特性を有する素材を用いて全体が構成され、具体的には、一般的工業用プラスチックが考えられ、特にポリアミド系若しくはナイロン系樹脂などが好適である。但し、断面形状等によって弾性特性が変化するため、これらの素材に限定されることなく、形状等に応じて適宜選択すればよい。
【００３１】
フレーム１０の全体の構成は、閉塞側の前方保持部１３と開口側の側面保持部１２を備える形状に湾曲して形成され、前方保持部１３は顔の前面に接触してフレーム１０の前方側を保持し、側面保持部１２は左右の耳の下部近傍に接触して記フレーム１０の弾性特性によって顔を挟持する。また、フレーム１０の耳側の端部近傍には前記ゴム紐２を係止する係止部１１が設けられ、係止部１１はマスクの被覆本体１からゴム紐２をフレーム１０に沿って耳の下方へ案内する。
【００３２】
フレーム１０の断面形状は円形や長方形などどのようなものでも、適正な弾性力が発生させられるものであれば良い。適正な弾性力とは、使用者が装着時に痛みを感じず、かつ、フレーム１０が顔面に固定されるような力の程度である。また、左右の側面保持部１２の距離の設定も弾性力に影響を及ぼす。このフレーム１０の断面形状、及び、側面保持部１２の距離の設定により、フレーム１０の材質はプラスチックでも金属でも、あるいはフレーム１０を分割してその両者の材質でも適用可能である。
【００３３】
係止部１１と前方保持部１３ａの距離は、多くの市販のマスクにおいて、ゴム紐２が弾性力を発生させることが可能な長さに設定することが望ましい。また、フレーム１０の形状は、マスクの被覆本体１と顔面の間の隙間が小さくなるように設定することが望ましい。
（実施形態２）
【００３４】
ついで、本発明に係るマスクホルダー１００がより安定して顔面に固定されやすい実施形態２について説明する。
【００３５】
図５に示すように、図１のマスクホルダー１００に対して、フレーム１０の両端に係止部１１と一体になった円弧形状の後方保持部１４と、山型の突起形状の前方保持部１３ｂが追加されている。図６は実施形態２のマスクホルダー１００を顔面に装着した図である。後方保持部１４は耳の裏側の付け根あたりで、側面保持部１２は耳の下部近傍で、前方保持部１３ｂは鼻の頂点部から上部でそれぞれ接触している。これらの接触位置は首を上下左右に動かしたり、声を出すためやガムを噛むために顎を動かしたりしても、各々の相対位置が変化しにくい部位であり、また、鼻の頂点部から上部に掛かることで下方へのずれが生じにくくなるため、マスク及びフレーム１０の位置が安定する。
【００３６】
また、後方保持部１４と係止部１１を円弧形状にし、後方保持部１４と前方保持部１３ｂの距離を使用者の鼻と耳の裏までの距離よりも短く設定することで、後方保持部１４に弾性力が発生し、側面保持部１２における挟み込む力のみならず、後方保持部１４と前方保持部１３ｂの間にも挟み込む力が発生するので、より安定したフレーム１０の固定が可能である。さらに、係止部１１が円弧形状の部位に位置しているので、ゴム紐２の弾性力も後方保持部１４と前方保持部１３ｂの間の挟み込む力として利用可能である。
【００３７】
実施形態２においては円弧形状としているが、弾性力が発生させることが可能であれば円弧形状に限らなくてもよい。また、後方支持部及び係止部１１を別部材として設け、フレーム１０と相対移動可能とし、ゴム紐２の弾性力のみで後方保持部１４と前方保持部１３ｂの間を挟み込む力として利用してもよい。
【００３８】
図７に示すように、フレーム１０と顔面の接触部位を耳の後部から下部にかけてとすることで、眼鏡を着用しても本発明に係るマスクホルダー１００の装着が可能である。また、イヤホンを装着したままでも、本発明に係るマスクホルダー１００を前後方向へ移動させることにより脱着可能である。
【００３９】
図８及び図９は係止部１１の形状例を示す。図８のように枝状に分岐させて突起を設けたものや、図９のように円弧形状部に溝を設けるのが、製造上も簡便であり望ましい。
【００４０】
円弧形状部の断面形状は、フレーム１０の円弧形状部以外のものと同等とすると弾性力が過剰となるため、断面形状を変化させて断面係数を下げることが望ましい。
【００４１】
なお、図面には示していないが、実施形態１の応用例として、例えば、前方保持部１３ａの顔と接触する位置が上唇口と鼻孔との間であって、耳の後方から押し当てる後方保持部１４を備えた構成とすることも有効である。同様に、図面に示していない他の応用例として、前方保持部１３ｂの顔と接触する位置が鼻の頂部近傍であって、前記側面保持部１２は左右の耳の下部近傍に接触して前記フレーム１０の弾性特性により顔を挟持する構成とすることも有効である。
（実施形態３）
【００４２】
ついで、本発明に係るマスクホルダー１００を持ち運びが容易になる実施形態３について説明する。
【００４３】
図１０に示すように、前部フレーム１０ａと後部フレーム１０ｂに分割し、それぞれの両端部に円筒形状を設け、その円筒形状の穴部に例えばビスのような接合部材１５で結合することで折り畳みが可能となり、持ち運びが容易になる。
【００４４】
この接合部の位置は、実施形態３のマスクホルダー１００にマスクを取り付けた際に、被覆本体１に隠れるような位置に設定するのが意匠の観点から望ましい。
（実施形態４）
【００４５】
ついで、眼鏡使用者のレンズの曇りを低減させるための実施形態４について説明する。
【００４６】
実施形態１〜３においては、マスクの被覆本体１と顔面の間にフレーム１０が存在するため、使用者の顔面輪郭とフレーム１０の形状によっては被覆本体１と顔面の間の隙間が大きくなる可能性がある。そのような状況に加え、使用者が眼鏡を着用していた場合には、レンズが曇りやすくなる恐れがある。
【００４７】
図１１に示されるような隙間吸収部材２０は、図１２に示されるような薄い壁面形状２１と、取り付け溝２２を有し、取り付け溝２２に合致するようにフレーム１０の断面形状は設定されている。隙間吸収部材２０はフレーム１０よりも柔らかい素材で作られている。実施形態４のマスクホルダー１００とマスクが顔面に装着されたとき、壁面形状２１が顔面とマスクの被覆本体１に接触し、顔面と被覆本体１の隙間を埋めることで、使用者の呼気が顔面と被覆本体１の隙間から漏れることが少なくなり、眼鏡着用者のレンズの曇りが低減される。
【００４８】
隙間部材２０の素材はシリコンゴム等の柔らかいものを選定し、壁面形状２１を適用する製造技術で可能な範囲で薄く設定することが、顔面及び被覆本体１への密着性を上げることになり、隙間吸収部材２０と顔面との接触による使用者への刺激も少なくなるので望ましい。なお、係る素材はシリコンゴムに限定されるものではなく、ウレタンゴムやエラストマーなど、他の弾性素材を除く趣旨ではなく、顔とフレーム１０との隙間に対応して変形し、密閉性を担保できる素材であれば、これらを利用することもできる。
【００４９】
また、本発明に係る実施形態４のように、隙間吸収部材２０をフレーム１０から取り外し可能な構成とすることで、長期使用後に劣化した場合でも隙間吸収部材２０のみの交換が可能である。
【００５０】
フレーム１０の断面形状幅は、取り付け溝２２の幅よりもわずかに大きくすることが、隙間吸収部材２０の取り付け位置安定性の観点から望ましい。
【００５１】
本発明は、上記した実施の形態に限られるものではなく、本発明の要旨を逸脱しない範囲内において種々の変更が可能である。
（実施形態５）
【００５２】
次に、耳当て部材２３を脱着自在に備える実施形態５について説明する。
【００５３】
図１３は、本発明に係るマスクホルダー１００の実施形態５について説明する実施例説明図である。
【００５４】
耳当て部材２３は、フレーム１０の耳側端部に脱着自在に備えられ、クッション性に富む可とう性と復帰する弾性を有する素材によって形成し、耳の後方から前方へ向かって係る弾性によって耳当て部材２３を耳に押し付ける作用を発揮させる部材である。係る耳当て部材２３の存在により、フレーム１０を顔に保持させる保持力と、該保持力の安定化を図ることが可能となる。また、前記素材の選択には、フレーム１０に用いられる素材と比較して柔らかいことが必要である。特に耳は皮膚が薄く、本発明に要部ともいえるゴム紐２を耳にかけない構成を採用した利点を損なわないようにする必要もある。従って、少なくともフレーム１０の素材より柔らかいものを利用することとなる。具体的には、壁面形状２１に使用する素材と同質であればよい。このような性質の素材にはシリコンゴムが有効であるが、係る素材はシリコンゴムに限定されるものではなく、ウレタンゴムやエラストマーなど、他の弾性素材を除く趣旨ではなく、耳への押圧によって、耳に痛みを生じさせない柔らかさを有する素材であれば良い。
【００５５】
但し、素材という要素ではなく、形状という要素に着目し、形状によって前記の問題を解決することも可能である。例えば、図９に示したように、フレーム１０に空洞部分を設け、断面積を小さくするなどの、簡易的な方法でもよい。但し、係る態様を採用した場合、耐久性が低下するといった問題も生じるため、断面形状並びに断面積については耐久性や保持力等様々な諸条件に適合するよう設計する。具体的には、図９に示したように割部を設けて断面積を小さくすることで対応することも有効である。
【００５６】
なお、耳当て部材２３には原則として係止部１１を持たせない構成とする。耳当て部材２３は、上記の通り変形し易い素材を用いるため、係止部１１がやわらかいと外れ易くなるという問題が発生してしまう。但し、耳当て部材２３に係止部１１を持たせる構成であっても、係止部１１がフレーム１０の端部に嵌合されることによって全体的に覆われて変形しにくい状態を作り、係る状態の突起にゴム紐２を係止することで、十分な強さと変化させる構成も有効であり、接合部において接合のための突起等を嵌合等によって嵌着した嵌合突起を係止部１１として利用することも考えられる。そして、係止部１１に係止されたゴム紐２を案内する案内溝などを備えればなお良好な構成となる。
【００５７】
さらに、本発明に係るマスクホルダー１００は、収納等を考慮して各構成がごとに分解可能とすることが望ましく、前記嵌合等を繰り返すと磨耗し易くなるため、硬さの異なる組み合わせとすることが有効である。耳当て部材２３も同様に、長期使用後に劣化した場合でも耳当て部材２３のみの交換が可能である。
【産業上の利用可能性】
【００５８】
本発明に係るマスクホルダーは市販の紐を有するマスクを適用する場面で広く用いることができる。
【符号の説明】
【００５９】
１      被覆本体
２      ゴム紐
１０    フレーム
１０ａ  前部フレーム
１０ｂ  後部フレーム
１１    係止部
１２    側面保持部
１３    前方保持部
１３ａ  前方保持部
１３ｂ  前方保持部
１４    後方保持部
１５    接合部材
２０    隙間吸収部材
２１    壁面形状
２２    取り付け溝
２３    耳当て部材
１００  マスクホルダー
【図１】
2017145545.tif 000003
【図２】
2017145545.tif 000004
【図３】
2017145545.tif 000005
【図４】
2017145545.tif 000006
【図５】
2017145545.tif 000007
【図６】
2017145545.tif 000008
【図７】
2017145545.tif 000009
【図８】
2017145545.tif 000010
【図９】
2017145545.tif 000011
【図１０】
2017145545.tif 000012
【図１１】
2017145545.tif 000013
【図１２】
2017145545.tif 000014
【図１３】
2017145545.tif 000015
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
ゴム紐２を耳に掛けることなくマスクの被覆本体１を顔面に装着可能にするマスク用のホルダーであって、
後方が開口する略Ｕ字形状のフレーム１０から成り、
該フレーム１０は外圧に対して変形し易い可とう性と該変形から復元する弾性特性を有する素材を用いて全体が構成され、
該全体の構成中には閉塞側の前方保持部１３と開口側の側面保持部１２を備える形状に湾曲して形成され、
前記前方保持部１３は顔の前面に接触して前記フレーム１０の前方側を保持し、
前記側面保持部１２は左右の耳の下部近傍に接触して前記フレーム１０の弾性特性により顔を挟持し、
該フレーム１０の耳側の端部近傍には前記ゴム紐２を係止する係止部１１が設けられ、
該係止部１１は前記マスクの被覆本体１から前記ゴム紐２を前記フレーム１０に沿って耳の下方へ案内し、
前記ゴム紐２は前記係止部１１を介して前記被覆本体１を前記フレーム１０に引き付け、
使用者の耳に前記ゴム紐２の張力を働かせることなく前記マスクを顔面に装着可能にしたことを特徴とするマスクホルダー１００。
【請求項２】
前記前方保持部１３ａの顔と接触する位置が上唇口と鼻孔との間であることを特徴とする請求項１に記載のマスクホルダー１００。
【請求項３】
前記前方保持部１３ｂの顔と接触する位置が鼻の頂部近傍であって、
耳の後方から押し当てる後方保持部１４を備えたことを特徴とする請求項１に記載のマスクホルダー１００。
【請求項４】
前記フレーム１０に接合部材１５を有し、
該接合部材１５によって前部フレーム１０ａと後部フレーム１０ｂとを折り曲げ可能としたことを特徴とする請求項１から請求項３の何れかに記載のマスクホルダー１００。
【請求項５】
前記フレーム１０と顔面に生じる隙間を塞ぐための形状と弾性特性を有する隙間吸収部材２０を備えたことを特徴とする請求項１から請求項４の何れかに記載のマスクホルダー１００。
【請求項６】
前記フレーム１０の耳側端部に脱着可能な耳当て部材２３が設けられ、
該耳当て部材２３は弾性力によって耳の後方から前方に向かって押圧することを特徴とする請求項１から請求項５の何れかに記載のマスクホルダー１００。
【請求項７】
前記耳当て部材２３及び前記隙間吸収部材２０の何れか又は双方がシリコンゴムを素材としたことを特徴とする請求項５又は請求項６に記載のマスクホルダー１００。